(57)【要約】【課題】小型化したカメラ及びカメラ用アクセサリを提供する。【解決手段】被写体光が通過するマウント開口（２１ａ）を備えたマウント部（２０）に設けられ、該マウント部に装着されるアクセサリ（２）に備えられたアクセサリ側マウント部（７０）に機械的に係合することによって、該アクセサリ側マウント部と前記マウント部との前記被写体光の光軸方向への相対移動を制限する制限部（２３）と、前記マウント部に設けられ、フランジバック長（Ｆ）を規定する基準面部（２５ａ）とを備えるカメラ（１）において、前記基準面部の光軸方向の配置位置（Ｂ）は、前記制限部の光軸方向の位置（Ａ）と重なる位置、又は、前記制限部よりも前記被写体光が結像する結像面側の位置であることを特徴とした。【選択図】図１
2010117571.tif 000002
【特許請求の範囲】
【請求項１】
被写体光が通過するマウント開口を備えたマウント部に設けられ、該マウント部に装着されるアクセサリに備えられたアクセサリ側マウント部に機械的に係合することによって、該アクセサリ側マウント部と前記マウント部との前記被写体光の光軸方向への相対移動を制限する制限部と、
前記マウント部に設けられ、フランジバック長を規定する基準面部と
を備えるカメラであって、
前記基準面部の光軸方向の配置位置は、前記制限部の光軸方向の位置と重なる位置、又は、前記制限部よりも前記被写体光が結像する結像面側の位置であること
を特徴とするカメラ。
【請求項２】
請求項１に記載のカメラにおいて、
前記マウント部は、複数の爪部を前記制限部として備えるバヨネット式マウントであること
を特徴とするカメラ。
【請求項３】
請求項１又は請求項２に記載のカメラにおいて、
前記基準面部は、前記制限部よりも前記被写体光の光路の中心側の領域に設けられること
を特徴とするカメラ。
【請求項４】
被写体光が通過するマウント開口を備えたカメラ側マウント部に対して機械的に係合可能なマウント部に設けられ、前記カメラ側マウント部に対する係合状態で該マウント部と前記カメラ側マウント部との前記被写体光の光軸方向への相対移動を制限する制限部と、
前記マウント部に備えられるとともに前記マウント部と前記カメラ側マウント部との係合状態において、前記カメラ側マウント部に備えられフランジバック長を規定するカメラ側マウント基準面部に対して当接する基準面部と
を備えるカメラ用アクセサリであって、
前記基準面部の光軸方向の配置位置は、前記制限部の光軸方向の位置と重なる位置、又は、前記制限部よりもカメラ側の位置である
ことを特徴とするカメラ用アクセサリ。
【請求項５】
請求項４に記載のカメラ用アクセサリにおいて、
前記マウント部は、複数の爪部を前記制限部として備えるバヨネット式マウントであること
を特徴とするカメラ用アクセサリ。
【発明の詳細な説明】
【技術分野】
【０００１】
本発明は、カメラ及びカメラ用アクセサリに関するものである。
【背景技術】
【０００２】
カメラと交換レンズ等のカメラ用アクセサリとを締結するマウント機構としては、バヨネット式のマウント等が知られている（例えば、特許文献１参照）。
【特許文献１】特開平９−２１１６４５号公報
【発明の開示】
【発明が解決しようとする課題】
【０００３】
近年、カメラやカメラ用アクセサリは、より小型化される傾向にあり、これらを締結するマウント機構も小型化したものが望まれている。
本発明の課題は、小型化したカメラ及びカメラ用アクセサリを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、被写体光が通過するマウント開口（２１ａ）を備えたマウント部（２０）に設けられ、該マウント部に装着されるアクセサリ（２）に備えられたアクセサリ側マウント部（７０）に機械的に係合することによって、該アクセサリ側マウント部と前記マウント部との前記被写体光の光軸方向への相対移動を制限する制限部（２３）と、前記マウント部に設けられ、フランジバック長（Ｆ）を規定する基準面部（２５ａ）とを備えるカメラであって、前記基準面部の光軸方向の配置位置は、前記制限部の光軸方向の位置と重なる位置、又は、前記制限部よりも前記被写体光が結像する結像面側の位置であることを特徴とするカメラ（１）である。
【０００５】
請求項２の発明は、請求項１に記載のカメラにおいて、前記マウント部（２０）は、複数の爪部（２３）を前記制限部として備えるバヨネット式マウントであることを特徴とするカメラ（１０）である。
請求項３の発明は、請求項１又は請求項２に記載のカメラにおいて、前記基準面部（２５ａ）は、前記制限部（２３）よりも前記被写体光の光路の中心側の領域に設けられることを特徴とするカメラ（１０）である。
【０００６】
請求項４の発明は、被写体光が通過するマウント開口（２１ａ）を備えたカメラ側マウント部（２０）に対して機械的に係合可能なマウント部（５０）に設けられ、前記カメラ側マウント部に対する係合状態で該マウント部と前記カメラ側マウント部との前記被写体光の光軸方向への相対移動を制限する制限部（７２）と、前記マウント部に備えられるとともに前記マウント部と前記カメラ側マウント部との係合状態において、前記カメラ側マウント部に備えられフランジバック長（Ｆ）を規定するカメラ側マウント基準面部（２５ａ）に対して当接する基準面部（７１ａ）とを備えるカメラ用アクセサリであって、前記基準面部の光軸方向の配置位置は、前記制限部の光軸方向の位置と重なる位置、又は、前記制限部よりもカメラ側の位置であることを特徴とするカメラ用アクセサリ（２）である。
請求項５の発明は、請求項４に記載のカメラ用アクセサリにおいて、前記マウント部（７０）は、複数の爪部（７２）を前記制限部として備えるバヨネット式マウントであることを特徴とするカメラ用アクセサリ（２）である。
なお、符号を付して説明した構成は、適宜改良してもよく、また、少なくとも一部を他の構成物に代替してもよい。
【発明の効果】
【０００７】
本発明によれば、小型化したカメラ及びカメラ用アクセサリを提供することができる。
【発明を実施するための最良の形態】
【０００８】
以下、図面等を参照して、本発明を適用したカメラ及びカメラ用アクセサリの実施形態である、カメラボディ及びレンズ鏡筒について説明する。
図１は、実施形態のカメラボディとレンズ鏡筒とを示す斜視図である。
図２は、図１に示すレンズ鏡筒に備えられたマウント部を示す図である。
図３は、図１に示すカメラ及びレンズ鏡筒の光軸を含む断面図である。
図３において、（ａ）、（ｂ）は、それぞれカメラボディに対するレンズ鏡筒の装着前、装着後の状態を示している。
なお、理解を容易にするため、各図にＸ軸−Ｙ軸−Ｚ軸からなる３次元座標系を設定して説明する。
【０００９】
カメラボディ１及びレンズ鏡筒２は、レンズ交換式のカメラシステムを形成するものである。
カメラボディ１は、筐体１０、マウント部２０、撮像ユニット３０（図３参照）、バリア装置４０等を備えている。
筐体１０は、カメラボディ１の外観面を形成する部分であり、例えば、金属材料や合成樹脂材料によって略直方体の箱形に形成されている。
筐体１０の前面部には、正面視で円形の開口部（以下、筐体開口部１１と称する）が形成されている（図３参照）。レンズ鏡筒２からカメラボディ１に向けて進行する被写体光は、この筐体開口部１１を通過して後述する撮像ユニット３０に導かれる。なお、カメラボディ１の前面部とは、カメラボディ１の各面部のうち、撮影時に被写体に対向する面部を意味するものとする。筐体１０の背面部には、撮影済みの画像やスルー画像を表示する液晶表示装置１２が設けられている。
【００１０】
マウント部２０は、カメラボディ１とレンズ鏡筒２とを締結するマウント機構の一部を形成するものである。マウント部２０の詳細については、後に詳しく説明するものとする。
撮像ユニット３０は、レンズ鏡筒２に備えられた撮影レンズ６０によって導かれた被写体光を電気信号に変換して出力する撮像素子３１、撮像素子３１の結像面に結像される被写体像にモアレが発生するのを抑制する光学ローパスフィルタ３２（ＬＰＦ３２）、ＬＰＦ３２の入射面に対向して設けられた振動板を振動させてこの振動板に付着したダストを払い落とすダスト除去ユニット３３等を備えている（図３参照）。
バリア装置４０は、例えば、レンズ鏡筒２の非装着状態でマウント部２０に形成されたマウント開口部２１ａを閉塞して、筐体１０の内部へのダストの侵入を防止するものである。
【００１１】
次にカメラボディ１に備えられたマウント部２０の構造について説明する。
マウント部２０は、マウント基部２１、前飾り環２２、爪部２３、押さえバネ２４、基準面規定部２５、係合溝２６、ラッチピン２７、電気接点２８等を備えたバヨネット式のマウントである（押さえバネ２４は、図３参照）。
マウント基部２１は、例えば、合成樹脂材料によって形成された板状の部材であり、筐体１０の内側面に固定されている。マウント基部２１は、筐体１０の正面部に形成された筐体開口部１１の周縁部から、その内径側につば状に突き出して設けられ、その中央部には、被写体光が通過するマウント開口部２１ａが形成されている。
【００１２】
前飾り環２２は、筐体開口部１１の周縁部に沿って延在する円環状の部材であり、例えば、金属材料によって形成されている。前飾り環２２は、マウント基部２１にビスＶ１によって固定されている。前飾り環２２は、筐体開口部１１の周縁部を外部から視認できない状態とすることによって、カメラボディ１の外観品質を向上させる機能を有する。
【００１３】
爪部２３は、カメラボディ１にレンズ鏡筒が装着された状態において、後述するレンズ鏡筒２のマウント部７０に備えられた爪部７２に機械的に係合することによって、カメラボディ１とレンズ鏡筒２との光軸方向への相対移動を制限するものである。
爪部２３は、前飾り環２２と一体成型されているものであり、前飾り環２２の内周面から前飾り環２２の内径側に突き出して形成され、光軸周りに略等しい間隔で、例えば、３つが設けられている。
【００１４】
押さえバネ２４は、爪部２３における撮像ユニット側を向いた面部に対向して配置された板バネであり、図１に示すように、カメラボディ１を正面からみた場合であっても、視認できないようになっている。押さえバネ２４は、レンズ鏡筒２がカメラボディ１に装着された状態で、レンズ鏡筒２のマウント部７０に備えられた爪部７２を光軸方向撮影者側（撮像ユニット側）に押圧することによって、レンズ鏡筒２とカメラボディ１との光軸方向のガタ付きを抑制する。
【００１５】
基準面規定部２５は、例えば、金属材料によって円環状に形成された板状の部材であり、マウント基部２１にビスＶ２によって固定されている。基準面規定部２５は、正面視で前飾り環２２の内径側に配置されている。
基準面規定部２５における光軸方向被写体側を向いた面部は、フランジバック長を規定する基準面部（以下、この面部を基準面部２５ａと称する）として機能する。ここで、本明細書においてフランジバック長とは、撮像素子３１の結像面から基準面規定部２５の基準面部２５ａまでの距離（図３（ａ）において、符号Ｆを付して示す）を意味するものとする。
係合溝２６は、マウント基部２１に形成された溝部であり、基準面規定部２５の内周縁部に沿って延在し、その中心は、光軸と略一致している。
【００１６】
ラッチピン２７は、基準面規定部２５の基準面部２５ａから光軸方向被写体側に突き出して形成されている。このラッチピン２７は、レンズ鏡筒２がカメラボディ１に装着された状態で、レンズ鏡筒２のマウント部７０に設けられたラッチ孔７４に嵌合することによって、レンズ鏡筒２とカメラボディ１との光軸周りの相対回転を制限する。
ラッチピン２７は、基準面部２５ａから突出した突出位置（図１参照）と、マウント基部２１に収容された収容状態との間を移動可能になっており、図示しないバネによって突出位置に付勢されている。筐体１０の前面部には、ラッチピン操作ボタン２７ａが設けられており、このラッチピン操作ボタン２７ａを押し込むことによってラッチピン２７を収容状態に移動させることができる。
【００１７】
電気接点２８は、カメラボディ１とレンズ鏡筒２とを電気的に接続するものであり、レンズ鏡筒２がカメラボディ１に装着された状態で、レンズ鏡筒２のマウント部７０に備えられた電気接点７５（図２参照）に接触する。電気接点２８は、マウント開口部２１ａの周縁部に沿って、例えば、９個が設けられている。カメラボディ１は、これらの接点の一部を用いてレンズ鏡筒２に電力を供給し、接点の他部を用いてレンズ鏡筒２と電気通信を行う。
電気接点２８は、ピン状に形成され、マウント基部２１の光軸方向被写体側を向いた面部における係合溝２６よりも内径側の領域から光軸方向被写体側に突き出して設けられている。電気接点２８は、マウント基部２１から突出した突出位置と、マウント基部２１に収容された収容状態との間を移動可能な可動接点（図３参照）であり、図示しないバネによって突出位置に付勢されている。
【００１８】
ここで、カメラボディ１に備えられたマウント部２０の爪部２３、及び、基準面部２５ａの光軸方向の配置位置について説明する。
図３（ａ）において、爪部２３の光軸（Ｚ軸）方向の配置位置に対して符号Ａを、基準面部２５ａの光軸方向の配置位置に対して符号Ｂを付して説明すると、基準面部２５ａの光軸方向の配置位置Ｂは、爪部２３の光軸方向の配置位置Ａよりも撮像素子３１の結像面側となっている。
【００１９】
次に、レンズ鏡筒２の構成について説明する。
レンズ鏡筒２は、カメラボディ１に着脱可能に装着されるカメラ用アクセサリの一例であり、鏡筒本体部５０、撮影レンズ６０、マウント部７０等を備えている。
鏡筒本体部５０は、例えば、合成樹脂材料によって円筒形状に形成されている。
撮影レンズ６０は、カメラボディ１に備えられた撮像素子３１に被写体光を導く光学系であり、鏡筒本体部５０の内部に収容されている。撮影レンズ６０は、複数のレンズ群によって形成され、その一部がズームレンズやフォーカスレンズとして機能する。
【００２０】
マウント部７０は、カメラボディ１とレンズ鏡筒２とを締結するマウント機構の他部を形成するものであり、鏡筒本体部５０の光軸方向カメラボディ側の端部に設けられている。マウント部７０の詳細については、後に詳しく説明するものとする。
なお、図１を含む各図面に示すレンズ鏡筒２は、カメラボディ１に装着可能なレンズ鏡筒の一例であり、カメラボディ１は、このレンズ鏡筒２と実質的に同じ構成のマウント部を備えた複数種類のレンズ鏡筒が選択的に装着可能になっている。
【００２１】
以下、レンズ鏡筒２に備えられたマウント部７０の構造について説明する。
レンズ鏡筒２のマウント部７０は、カメラボディ１のマウント部２０に対応した形状を有しており、マウント基部７１、爪部７２、係合突起７３、ラッチ孔７４、電気接点７５等を備えている。
マウント基部７１は、鏡筒本体部５０の光軸方向カメラボディ側の開口部を閉塞する円板状の部分であり、その中央部には、被写体光を通過させるための開口部が形成されている。マウント基部７１の直径は、鏡筒本体部５０の直径よりも小さく設定されている。
【００２２】
爪部７２は、マウント基部７１の外周面からレンズ鏡筒２の径方向外側に突き出して形成されている。爪部７２は、光軸周りに略等しい間隔で、例えば、３つが設けられている。３つの爪部７２の先端部によって規定される円の直径は、鏡筒本体部５０の直径と略同じとなっている。
【００２３】
係合突起７３は、マウント基部７１の光軸方向カメラボディ側を向いた面部からカメラボディ１側に突き出して形成された円環状の部分であり、その中心は、光軸と略一致している。係合突起７３は、レンズ鏡筒２がカメラボディ１に装着された状態において、カメラボディ１のマウント部２０に備えられた係合溝２６に嵌合する。
係合突起７３と係合溝２６との間には、図３（ｂ）に示す嵌合状態でこれらの摺動を許容する程度の微小な隙間のみが形成されている。この嵌合状態では、レンズ鏡筒２とカメラボディ１との光軸周りの相対回転が許容される一方で、レンズ鏡筒２とカメラボディ１との径方向の相対移動が制限される。このように、係合突起７３と係合溝２６とは、協働してカメラボディ１に対するレンズ鏡筒２の径方向の装着位置を規定する位置決め機構として機能する。
【００２４】
ここで、マウント基部７１におけるカメラボディ１側を向いた面部のうち、係合突起７３よりも外径側の領域７１ａは、レンズ鏡筒２がカメラボディ１に装着された状態でカメラボディ１のマウント部２０に設けられた基準面部２５ａに当接するようになっており、レンズ鏡筒２の基準面部として機能する。以下、この領域を基準面部７１ａと称する。前述した爪部７２のカメラボディ側を向いた面部と基準面部７１ａとは、光軸Ｏに直交する同一の平面内に配置されている。
【００２５】
ラッチ孔７４は、カメラボディ１のマウント部２０に備えられたラッチピン２７が挿入される部分であり、マウント基部７１の光軸方向カメラボディ側を向いた面部に形成されている。
電気接点７５は、マウント基部７１に固定された固定接点であり、レンズ鏡筒２がカメラボディ１に装着された状態において、カメラボディ１のマウント部２０に備えられた電気接点２８に接触する位置に設けられている。
【００２６】
ここで、レンズ鏡筒２に備えられたマウント部７０の爪部７２、及び、基準面部７１ａの光軸方向の配置位置について説明する。
マウント部７０は、カメラボディ１のマウント部２０に対応する構成を有している。
前述したように、カメラボディ側のマウント部２０は、爪部２３よりも撮像ユニット３０側に基準面部２５ａが設けられているので、レンズ鏡筒２のマウント部７０の爪部７２及び基準面部７１ａは、これに対応して、図３に示すように、レンズ鏡筒２の装着状態でそれぞれカメラボディ１側の爪部２３よりも結像面側に配置される。
【００２７】
本実施形態におけるカメラボディ１のマウント部２０、レンズ鏡筒２のマウント部７０は、バヨネット式マウント機構の一種であり、カメラボディ１に対するレンズ鏡筒２の装着手順は、公知のバヨネット式マウント機構と概ね同じである。
すなわち、カメラボディ１とレンズ鏡筒２とを光軸方向に相対移動させてレンズ鏡筒２の爪部７２をカメラボディ１の爪部２３の間に挿入させた後、レンズ鏡筒２とカメラボディ１とを光軸周りに相対回転させる。これによって、爪部７２が爪部２３とマウント基部２１との間に挿入され、カメラボディ１とレンズ鏡筒２との光軸方向への相対移動を制限する。また、レンズ鏡筒２に備えられたラッチ孔７４にカメラボディ１に備えられたラッチピン２７が挿入し、レンズ鏡筒２とカメラボディ１とが締結される。この締結状態において、爪部７２は、爪部２３に固定された押さえバネ２４によって基準面部２５ａに押圧されており、レンズ鏡筒２の基準面部７１ａとカメラボディ１の基準面部２５ａとが密着し、レンズ鏡筒２のカメラボディ１に対する光軸方向のガタつきが抑制される。
【００２８】
次に、実施形態のマウント機構の効果を比較形態のマウント機構と対比して説明する。
図４は、比較形態のマウント機構（図４（ａ））と実施形態のマウント機構（図４（ｂ））とを対比して示す図である。
図４（ａ）に示す比較形態のレンズ鏡筒１０２に備えらえれたマウント部１７０は、公知のバヨネット式のマウント部であり、爪部１７２よりも光軸方向被写体側に基準面部１７１ａが設けられている。
【００２９】
ここで、レンズ鏡筒１０２の内部には、例えば、フォーカシング用のレンズ群を駆動するモータＭや、このモータＭを制御するＣＰＵ、像ブレ補正ユニット等が収容されている（モータ以外は図示を省略する）。
そして、従来のレンズ鏡筒１０２は、基準面部１７１ａを形成するために基準面部１７１ａよりもカメラボディ側の領域において、その径方向寸法ｒが小さくなっている。したがって、これらのモータＭ等を収容することが実質的に可能な領域は、被写体側の先端部から基準面部１７１ａまでの領域（図４（ａ）において符号Ｌを付す）に限られる。
【００３０】
これに対し、図４（ｂ）に示す実施形態のレンズ鏡筒２は、基準面部７１ａがカメラボディ１側の端面に形成されており、径方向の寸法（直径Ｒ）が、鏡筒の全体にわたって略同じとなっている。したがって、比較形態のレンズ鏡筒１０２に比べ、モータＭ等をよりカメラボディ１側に寄せて配置することができる。実施形態のレンズ鏡筒２は、これによって比較形態のレンズ鏡筒１０２に比べ、全長を短かくして小型化を図ることができる。
【００３１】
また、比較形態のカメラボディ１０１に備えられたマウント部１２０は、円環状の前飾り環１２１と、この前飾り環１２１の内周面から内径側に突き出して形成された爪部１２２とを備えている。この比較形態のマウント部１２０は、前飾り環１２１における光軸方向被写体側向いた面部がフランジバック長を規定する基準面部１２１ａとして機能する。
基準面部１２１ａの幅（前飾り環の径方向に平行な方向の寸法）Ｗ１は、カメラボディ１０１とレンズ鏡筒１０２とを安定して強固に締結するためにも、ある程度の長さ（幅）が必要になる。またこの幅（接触面積）が大きければ大きいほど、接触圧が低下して摩耗性が小さくなり、その結果耐久性を向上させることにもつながる。
これに対し、実施形態のカメラボディ１に備えられたマウント部２０は、前飾り環２２が基準面部としての機能を備えていないので、前飾り環２２を狭幅（図４（ｂ）の符号Ｗ２参照）に形成することができ、カメラマウント部の外観の小型化を図ることができる。
【００３２】
また、実施形態のカメラボディ１によれば、以下の効果を得ることができる。
（１）実施形態のカメラボディ１は、バリア装置４０を備えているので、レンズ鏡筒２が装着されていない場合であってもボディキャップを装着する必要がない。
ここで、比較形態のカメラボディ１０１に備えられた従来のマウント部１２０は、基準面部１２１ａが筐体１１０よりも被写体側に張り出して形成されているため、ボディキャップを装着しない場合に基準面部１２１ａに傷等がつき易い。
これに対し、本実施形態のマウント部２０は、基準面部２５ａが筐体１０の内部に収容されているので、ボディキャップを装着しなくても、基準面部２５ａに傷等がつく可能性を低減できる。
また、仮にバリア装置４０を備えない場合には、ボディキャップを装着する必要があるが、比較形態のマウント部１２０の場合、ボディキャップの外径寸法を前飾り環１２１の外径寸法と同程度に形成する必要がある。
これに対し、実施形態のマウント部２０は、基準面規定部２５を前飾り環２２の内径側に配置したので、ボディキャップの外径寸法は、前飾り環２２の内径寸法程度でよく、ボディキャップを小型化できる。
（２）カメラボディ１に備えられた前飾り環２２は、基準面部として機能しないので、高い寸法精度で形成する必要がない。また、前飾り環２２とレンズ鏡筒２とを接触させる必要がないので、前飾り環２２に塗装等を施してもレンズ鏡筒２の着脱を繰り返すことによってこの塗装が剥げ落ちることがない。また、前飾り環２２に刻印、凹凸等の意匠を形成することができる。
【００３３】
［変形形態］
本発明は、以上説明した実施形態に限定されることなく、以下に示すような種々の変形や変更が可能であり、これらも本発明の技術的範囲内に含まれる。
（１）実施形態において、カメラに装着されるカメラ用アクセサリは、撮影レンズを備える交換レンズ鏡筒であったが、カメラ用アクセサリはこれに限らず、例えば、コンバージョンレンズ、接写リング、ボディキャップ等であってもよい。また、カメラの種類も特に限定されず、スチルカメラでもムービーカメラでもよい。さらに、スチルカメラの場合、光学ファインダを備えた一眼レフ式のカメラでも、電子式ファインダを備えるカメラでもよい。
（２）実施形態のレンズ鏡筒は、爪部のカメラボディ側を向いた面部と基準面部とが同一平面を形成していたが、基準面部の配置位置は、これに限らず、光軸方向の配置位置が爪部と重なる程度であれば、実施形態よりも先端部側の位置でもよい。また、カメラボディ側のマウント部の構成もこれに対応した形状でもよい。具体的には、爪部の光軸方向の配置位置（図３（ａ）の符号Ａ参照）と基準面部の光軸方向の配置位置（図３（ａ）の符号Ｂ参照）とが重なっていてもよい。
（３）実施形態において、カメラボディとレンズ鏡筒とを締結するマウント機構は、バヨネット式のマウント機構であったが、これに限らず、例えば、スクリュー（ねじ込み）式のマウントであってもよい。このようなスクリュー式マウントの場合、ネジ山が制限部として機能する。また、バヨネット式マウントの場合は、実施形態において説明した３つ爪型のものに限らず、例えば、４つ爪型であってもよい。
（４）実施形態のカメラボディにおいて、前飾り環から内径側に突き出して形成された爪部を有する内爪式のものであったが、爪部は、外径側に突き出してもよい（外爪式）。また、このように外爪式とする場合、基準面部は、爪部の外径側に配置されてもよい。
【図面の簡単な説明】
【００３４】
【図１】実施形態のカメラボディ及びレンズ鏡筒を示す斜視図である。
【図２】図１に示すレンズ鏡筒のマウント部を示す斜視図である。
【図３】図１に示すカメラボディ及びレンズ鏡筒の光軸を含む断面図である。
【図４】実施形態及び比較形態のマウント機構を対比して示す図である。
【符号の説明】
【００３５】
１  カメラボディ  ：  ２  レンズ鏡筒  ：  ２０  マウント部  ２１ａ  マウント開口  ：  ２３爪部  ：  ２５ａ  基準面部  ：  ７０  マウント部  ：  ７１ａ  基準面部  ：  ７２  爪部
【図１】
2010117571.tif 000003
【図２】
2010117571.tif 000004
【図３】
2010117571.tif 000005
【図４】
2010117571.tif 000006